(57)【要約】【課題】切込線が形成された第一フィルムと第二フィルムとを貼り合わせることで引裂補助線を形成するに際し、引裂補助線を適切に形成することができるフィルム、及び該フィルムの製造方法、並びに包装用フィルムを提供することを課題とする。【解決手段】仮想線Ｌに沿って並ぶ複数の短小引裂補助線４，４…を有し、該短小引裂補助線４，４…のそれぞれは、裂け目を前記仮想線Ｌに案内するように設けられるフィルム１、及び該フィルム１の製造方法、並びに包装用フィルム７。【選択図】図１
2014008968.tif 000002
【特許請求の範囲】
【請求項１】
仮想線に沿って並ぶ複数の短小切込線であって、面直交方向で貫通し、裂け目を仮想線に案内する複数の短小切込線が形成された第一フィルムと、該第一フィルムに直接的又は間接的に積層される第二フィルムとを少なくとも備え、前記第一フィルムは、第一フィルムと第二フィルムとが積層される方向における一端又は他端に配置され、前記第一フィルムに前記第二フィルムが積層されることで前記複数の短小切込線に基づく複数の短小引裂補助線からなる引裂補助線が形成されることを特徴とするフィルム。
【請求項２】
前記第一フィルムは、面直交方向に第一面と、該第一面とは反対側の第二面とを有し、前記第二フィルムは、面直交方向に第一面と、該第一面とは反対側の第二面とを有し、前記第一フィルムの第一面と前記第二フィルムの第一面とが貼り合わされ、前記第一フィルムの第一面、又は前記第二フィルムの第一面に印刷層が設けられる請求項１に記載のフィルム。
【請求項３】
面直交方向で貫通し、フィルムの裂け目の進行を妨げる貫通切込線が形成される請求項１又は請求項２に記載のフィルム。
【請求項４】
一対の仮想線のそれぞれに沿って並ぶ複数の短小引裂補助線からなる引裂補助線と、該引裂補助線に向けて延びる開封用切込線を有する開封起点部とを備え、前記短小引裂補助線は、裂け目を仮想線に案内するように設けられることを特徴とする包装用フィルム。
【請求項５】
一方の仮想線は、長手方向に基端と該基端とは反対側の先端とを有し、他方の仮想線は、長手方向に基端と該基端とは反対側の先端とを有し、一方の仮想線の先端側と、他方の仮想線の先端側とは、延出するにつれて互いに離間するように設定される請求項４に記載の包装用フィルム。
【発明の詳細な説明】
【技術分野】
【０００１】
所定の仮想線に沿って引裂可能なフィルム、及び該フィルムの製造方法、並びに包装用フィルムに関する。
【背景技術】
【０００２】
従来から、所定の仮想線に沿って引裂可能なフィルムが提供されている。かかるフィルムには、仮想線に沿って延びる溝状の引裂補助線（いわゆるハーフカット）が形成されている。そのため、フィルムの引裂補助線が形成されている部分の厚みが薄くなっている。これにより、フィルムは、引裂補助線に沿って引裂くことができるようになっている。
【０００３】
引裂補助線は、深さが不均一であると、仮想線に沿って引き裂くことができなかったり、意図しないタイミングでフィルムが引き裂かれてしまったりすることがある。そのため、引裂補助線は、全長に亘って深さが一定となるように形成されることが求められる。
【０００４】
しかしながら、引裂補助線を形成する際に、形成手段がレーザや超音波振動である場合の出力不均一性や、フィルムのよれや、フィルム自体の厚みのばらつきが原因で、引裂補助線の深さが不均一になったり、フィルムが破断したりすることがあった。
【０００５】
このような問題点を解決すべく、例えば、仮想線に沿って延びる切込線であって、面直交方向で貫通する切込線が形成された第一フィルムと、第一フィルムとは別の第二フィルムとが貼り合わされているフィルムが提供されている（特許文献１参照）。
【０００６】
この種のフィルムを製造する場合、第一フィルムに切込線を形成する一方で、第二フィルムの第一フィルムに貼り付ける面に接着材料を塗布する。そして、第一フィルムと第二フィルムとを張り合わせることで、切込線に基づく引裂補助線を形成している。そのため、このようなフィルムの製造方法では、引裂補助線の深さが不均一になることを防止できるとされている。
【先行技術文献】
【特許文献】
【０００７】
【特許文献１】特開２０１２−６２０８２号公報
【発明の概要】
【発明が解決しようとする課題】
【０００８】
ところで、この種のフィルムの製造方法では、第一フィルムと第二フィルムとを繰り出しつつ、第一フィルムに切込線を形成したり、第一フィルムと第二フィルムとを貼り合わせたりしている。そのため、フィルムを製造するにあたり、第一フィルムと第二フィルムとのそれぞれに張力が作用することがある。
【０００９】
上述のように、第一フィルムには、仮想線に沿って延びる切込線が形成されている。すなわち、第一フィルムには、長手をなす切込線が形成されている。そのため、第一フィルムに対して張力が作用すると、切込線によって分断されたフィルム同士が離間して開口が形成されたり、逆にフィルム同士が重なり合ったりすることがある。
【００１０】
このような状態で第一フィルムと第二フィルムとが貼り合わされると、引裂補助線が適切に形成されないため、フィルムを仮想線に沿って引き裂くことができなくなるおそれがある。また、開口が形成された状態で第一フィルムと第二フィルムとが貼り合わされると、第二フィルムの接着材料が塗布されている部分が露呈するため、製造設備に接着材料が付着するおそれがある。
【００１１】
このような問題は、包装に用いられるフィルムにおいても同様に起こり得る。
【００１２】
そこで、本発明は、かかる実情に鑑み、切込線が形成された第一フィルムと第二フィルムとを貼り合わせることで引裂補助線を形成するに際し、引裂補助線を適切に形成することができるフィルム、及び該フィルムの製造方法、並びに包装用フィルムを提供することを課題とする。
【課題を解決するための手段】
【００１３】
本発明に係るフィルムは、仮想線に沿って並ぶ複数の短小切込線であって、面直交方向で貫通し、裂け目を仮想線に案内する複数の短小切込線が形成された第一フィルムと、該第一フィルムに直接的又は間接的に積層される第二フィルムとを少なくとも備え、前記第一フィルムは、第一フィルムと第二フィルムとが積層される方向における一端又は他端に配置され、前記第一フィルムと前記第二フィルムとが積層されることで前記複数の短小切込線に基づく複数の短小引裂補助線からなる引裂補助線が形成されることを特徴とする。
【００１４】
上記構成のフィルムによれば、第一フィルムに第二フィルムが直接的又は間接的に積層されることで、短小切込線と第二フィルムにおける短小切込線に対応する部分とによって短小引裂補助線が形成され、該短小引裂補助線が仮想線に沿って複数形成されることで、仮想線に沿って引裂補助線が形成されている。そのため、上記構成のフィルムでは、引裂補助線の深さが不均一になることを防止できる。
【００１５】
そして、上記構成のフィルムによれば、フィルムに裂け目が生じると、該裂け目が複数の短小引裂補助線のそれぞれに案内される。そのため、上記構成のフィルムによれば、仮想線に沿った方向に引き裂くことができる。
【００１６】
さらに、上記構成のフィルムには、仮想線に沿って並ぶ複数の短小切込線が第一フィルムに形成されている。すなわち、上記構成のフィルムには、複数の短小引裂補助線が仮想線に沿って並ぶように形成されている。そのため、上記構成のフィルムは、張力が作用したときに、第一フィルムの短小切込線によって分断された部分同士が離間して開口が形成されたり、逆に第一フィルムの短小切込線によって分断された部分同士が重なり合ったりすることを防止できる。従って、上記構成のフィルムでは、第一フィルムにおける短小切込線の近傍の部分をより確実に第二フィルムに直接的又は間接的に積層させることができる。
【００１７】
この場合、前記第一フィルムは、面直交方向に第一面と、該第一面とは反対側の第二面とを有し、前記第二フィルムは、面直交方向に第一面と、該第一面とは反対側の第二面とを有し、前記第一フィルムの第一面と前記第二フィルムの第一面とが貼り合わされ、前記第一フィルムの第一面、又は前記第二フィルムの第一面に印刷層が設けられるようにすることが好ましい。
【００１８】
このようにすれば、印刷層を外部から目視できるようにした状態にしつつフィルムを引き裂くことができる。このとき、第二フィルムは、第一フィルム側から引き裂かれることになる。そのため、上記構成のフィルムでは、第一フィルムとともに第二フィルムをより確実に引き裂くことができる。
【００１９】
この場合、フィルムの裂け目の進行を妨げる貫通線が形成されていてもよい。このようにすれば、貫通線が形成されている位置でフィルムに生じた裂け目の進行を止めることができる。
【００２０】
本発明に係る包装用フィルムは、一対の仮想線のそれぞれに沿って並ぶ複数の短小引裂補助線からなる引裂補助線と、該引裂補助線に向けて延びる開封用切込線を有する開封起点部とを備え、前記短小引裂補助線は、裂け目を仮想線に案内するように設けられることを特徴とする。
【００２１】
上記構成の包装用フィルムによれば、開封起点部は、面直交方向において変位可能に設けられている。そのため、包装用フィルムは、開封起点部を面直交方向で引っ張ることで裂け目を生じさせることができる。そして、開封起点部を引っ張り続けると、裂け目が短小引裂補助線に到達する。
【００２２】
包装用フィルムに生じた裂け目は、一方の仮想線に沿って並ぶ短小引裂補助線に到達すると、一方の仮想線に案内される。そして、包装用フィルムに生じた裂け目は、他方の仮想線に沿って並ぶ短小引裂補助線に到達すると、他方の仮想線に案内される。従って、上記構成の包装用フィルムは、一対の仮想線のそれぞれに沿って引き裂くことができる。
【００２３】
この場合、一方の仮想線は、長手方向に基端と該基端とは反対側の先端とを有し、他方の仮想線は、長手方向に基端と該基端とは反対側の先端とを有し、一方の仮想線の先端側と、他方の仮想線の先端側とは、延出するにつれて互いに離間するようにしてもよい。このようにすれば、一方の仮想線に沿って並ぶ複数の短小引裂補助線と、他方の仮想線に沿って並ぶ複数の短小引裂補助線とは、開封起点部から離れるにつれて互いに離間するように形成される。そのため、上記構成の包装用フィルムでは、開封起点部から離れるにつれて、該包装用フィルムから分断させる部分を拡大させることができる。
【発明の効果】
【００２４】
以上のように、本発明に係るフィルム、及び該フィルムの製造方法、並びに包装用フィルムによれば、切込線が形成された第一フィルムと第二フィルムとを貼り合わせることで引裂補助線を形成するに際し、引裂補助線を適切に形成することができるという優れた効果を奏し得る。
【図面の簡単な説明】
【００２５】
【図１】図１は、本発明の一実施形態に係るフィルムの平面図である。
【図２】図２は、本発明の一実施形態に係るフィルムの正面視における部分拡大図である。
【図３】図３は、同実施形態に係るフィルムの断面図であって、図１のＡ−Ａ線における断面の部分拡大図である。
【図４】図４は、同実施形態に係るフィルムの説明図であって、フィルムの第一補助線群及び第二補助線群が形成されている部分を引き裂いている状態の説明図である。
【図５】図５は、同実施形態に係るフィルムの説明図であって、フィルムの第一拡張線及び第二拡張線が形成されている部分を引き裂いている状態の説明図である
【図６】図６は、同実施形態に係るフィルムの製造方法の説明図である。
【図７】図７は、同実施形態に係る包装用フィルムの平面図である。
【図８】図８は、同実施形態に係る包装用フィルムの断面図であって、図７のＢ−Ｂ線における断面図である。
【図９】図９は、同実施形態に係る包装用フィルムの正面図であって、包装対象物を包装した状態の包装用フィルムの正面図である。
【図１０】図１０は、同実施形態に係る包装用フィルムの説明図であって、包装用フィルムの第一補助線群及び第二補助線群が形成されている部分を引き裂いている状態の説明図である。
【図１１】図１１は、同実施形態に係る包装用フィルムの説明図であって、包装用フィルムの第一拡張線及び第二拡張線が形成されている部分を引き裂いている状態の説明図である。
【図１２】図１２（ａ）は、本発明の他実施形態に係るフィルムの平面図であり、図１２（ｂ）は、本発明のさらなる他実施形態に係るフィルムの平面図である。
【図１３】図１３は、本発明の別の実施形態に係るフィルムの平面図である。
【図１４】図１４（ａ）は、本発明の別の実施形態に係るフィルムの平面図であり、図１４（ｂ）は、本発明のさらなる別の実施形態に係るフィルムの平面図である。
【図１５】図１５は、本発明のさらに別の実施形態に係るフィルムの正面視における部分拡大図である。
【図１６】図１６は、本発明のさらに別の実施形態に係るフィルムの面直交方向における断面の部分拡大図である。
【図１７】図１７は、本発明のさらなる別の実施形態に係るフィルムの正面図である。
【発明を実施するための形態】
【００２６】
以下、本発明の一実施形態に係るフィルムについて、添付図面を参照しつつ説明する。  図１〜図３に示すように、フィルム１は、仮想線Ｌに沿って並ぶ複数の引裂補助線（いわゆる、ハーフカット）を有する。複数の引裂補助線のそれぞれは、裂け目を仮想線Ｌに案内するように設けられている。
【００２７】
より具体的に説明すると、フィルム１は、仮想線Ｌに沿って並ぶ複数の短小切込線４ａ，４ａ…であって、面直交方向で貫通し、裂け目を仮想線Ｌに案内する複数の短小切込線４ａ，４ａ…を有する第一フィルム２と、該第一フィルム２に直接的又は間接的に積層される第二フィルム３とを備えている。また、フィルム１は、短小切込線４ａ，４ａ…（短小引裂補助線４，４…）に向けて延びる開封用切込線５０を有する開封起点部５を備えている。なお、本実施形態に係るフィルム１では、第一フィルム２に第二フィルム３が貼り付けられている。すなわち、本実施形態に係るフィルム１では、第一フィルム２に対して第二フィルム３が直接的に積層されている。
【００２８】
第一フィルム２は、平面視において、略四角形状をなしている。また、第一フィルム２は、面直交方向に第一面と、該第一面とは反対側の第二面とを有する。そして、第一フィルム２は、一方向（以下、第一方向とする）に第一端と該第一端とは反対側の第二端とを有する。さらに、第一フィルム２は、一方向と直交する方向（以下、第二方向とする）に第三端と該第三端とは反対側の第四端とを有する。第一フィルム２の第一面には、印刷層２０が形成されている（図２及び図３参照）。
【００２９】
第二フィルム３は、平面視において、略四角形状をなしている。また、第二フィルム３は、面直交方向に第一面と、該第一面とは反対側の第二面とを有する。そして、第二フィルム３は、第一方向に第一端と該第一端とは反対側の第二端とを有する。さらに、第二フィルム３は、第二方向に第三端と該第三端とは反対側の第二端とを有する。
【００３０】
第二フィルム３の第一面は、第一フィルム２の第一面に貼り合わされる。そのため、第二フィルム３の第一面上には、第一フィルム２の第一面に貼付可能な接着層３０が形成されている（図２及び図３参照）。そして、フィルム１では、第二フィルム３と第一フィルム２とが張り合わされることで、複数の短小切込線４ａ，４ａ…（第一外側切込線４００，４００…、第一内側切込線４０１，４０１…、第二外側切込線４１０，４１０…、第二外側切込線４１０，４１０…、第一拡張線４２、第二拡張線４３）に基づく複数の短小引裂補助線４，４…からなる引裂補助線が形成される。
【００３１】
このように、フィルム１では、第一フィルム２の第二面がフィルム１の一方の面（以下、第一面とする）となり、第二フィルム３の第二面がフィルム１の他方の面（以下、第二面とする）となる。また、フィルム１では、第一フィルムの第一端及び第二フィルムの第一端がフィルム１の第一端となり、第一フィルム２の第二端及び第二フィルム３の第二端がフィルム１の第二端となる。そして、フィルム１では、第一フィルム２の第三端及び第二フィルム３の第三端がフィルム１の第三端となり、第一フィルム２の第四端及び第二フィルム３の第四端がフィルム１の第四端となる。
【００３２】
短小切込線４ａ，４ａ…は、一方の仮想線（以下、第一仮想線とする）Ｌ１に沿って並ぶ第一補助線群４０と、他方の仮想線（以下、第二仮想線とする）Ｌ２に沿って並ぶ第二補助線群４１とを有する。また、短小切込線４ａ，４ａ…は、第一方向で第一補助線群４０と隣り合い、第一仮想線Ｌ１に沿って延びる第一拡張線４２と、第一方向で第二補助線群４１と隣り合い、第二仮想線Ｌ２に沿って延びる第二拡張線４３とを有する。
【００３３】
仮想線Ｌ（第一仮想線Ｌ１及び第二仮想線Ｌ２）は、フィルム１に生じた裂け目を案内する方向に沿って延びるように設定されている。より具体的に説明すると、第一仮想線Ｌ１は、第二方向における第一フィルム２の中央部を境とした一方側（第一フィルム２の第三端側）に位置するように設定されている。また、第一仮想線Ｌ１は、長手方向に基端と該基端とは反対側の先端とを有する。第一仮想線の基端側は、第一方向に沿って真っ直ぐに延びている。そして、第一仮想線Ｌ１の先端側は、第一仮想線Ｌ１の基端側と交差する方向に延びている。すなわち、第一仮想線Ｌ１の先端側は、第一フィルム２の第二端に近付くにつれて第一フィルム２の第三端側に変位するように延びている。
【００３４】
第二仮想線Ｌ２は、第二方向における第一フィルム２の中央部を境とした他方側（第一フィルムの第三端側）に位置するように設定されている。また、第二仮想線Ｌ２は、長手方向に基端と該基端とは反対側の先端とを有する。第二仮想線Ｌ２の基端側は、第一方向に沿って真っ直ぐに延びている。そして、第二仮想線Ｌ２の先端側は、第二仮想線Ｌ２の基端側と交差する方向に延びている。すなわち、第二仮想線Ｌ２の先端側は、第一フィルムの第二端に近付くにつれて第一フィルム２の第四端側に変位するように延びている。このように、第一仮想線Ｌ１と第二仮想線Ｌ２とのそれぞれは、長手方向の途中位置から互いに離間するように設定されている。尚、便宜上、第一拡張線４２と第一仮想線Ｌ１とのそれぞれは、離間して図示しているが、第一拡張線４２は、第一仮想線Ｌ１と重なるように形成されている。また、第二拡張線４３と第二仮想線Ｌ２とのそれぞれも、離間して図示されているが、第二拡張線４３は、第二仮想線Ｌ２と重なるように形成されている。
【００３５】
第一補助線群４０は、第一仮想線Ｌ１を境とした一方側（第一フィルム２の第三端側）に形成される複数の第一外側切込線４００，４００…と、第一仮想線Ｌ１を境とした他方側（第一フィルム２の第四端側）に形成される複数の第一内側切込線４０１，４０１…とを有する。
【００３６】
複数の第一外側切込線４００，４００…のそれぞれは、第一仮想線Ｌ１（第一方向）に沿って順に並んでいる。また、複数の第一外側切込線４００，４００…のそれぞれは、円弧状に形成されている。より具体的に説明すると、複数の第一外側切込線４００，４００…のそれぞれは、第一仮想線Ｌ１に近づくにつれて、第一フィルム２の第一端側から第一フィルム２の第二端側に向けて延びるように形成されている。すなわち、複数の第一外側切込線４００，４００…のそれぞれは、第一仮想線Ｌ１に近づく方向に凸となるように湾曲している。
【００３７】
複数の第一内側切込線４０１，４０１…のそれぞれは、第一仮想線Ｌ１（第一方向）に沿って順に並んでいる。また、複数の第二外側切込線４０１，４０１…のそれぞれは、円弧状に形成されている。より具体的に説明すると、また、複数の第一内側切込線４０１，４０１…のそれぞれは、第一仮想線Ｌ１に近づくにつれて、第一フィルム２の第一端側から第一フィルム２の第二端側に向けて延びるように形成されている。すなわち、複数の第一内側切込線４０１，４０１…のそれぞれは、第一仮想線Ｌ１に近づく方向に凸となるように湾曲している。
【００３８】
第二補助線群４１は、第二仮想線Ｌ２を境とした一方側（第一フィルム２の第四端側）に形成される複数の第二外側切込線４１０，４１０…と、第二仮想線Ｌ２を境とした他方側（第一フィルム２の第三端側）に形成される複数の第二内側切込線４１１，４１１…とを有する。
【００３９】
複数の第二外側切込線４１０，４１０…のそれぞれは、第二仮想線Ｌ２（第一方向）に沿って順に並んでいる。また、複数の第二外側切込線４１０，４１０…のそれぞれは、第一フィルム２の第一面から第一フィルム２の第二面に亘って貫通する切込によって形成されている。また、複数の第二外側切込線４１０，４１０…のそれぞれは、第二仮想線Ｌ２に近づくにつれて、第一フィルム２の第一端側から第一フィルム２の第二端側に向けて延びるように形成されている。そして、複数の第二外側切込線４１０，４１０…のそれぞれは、第二仮想線Ｌ２に近づく方向に凸となるように湾曲している。
【００４０】
複数の第二内側切込線４１１，４１１…のそれぞれは、第二仮想線Ｌ２（第一方向）に沿って順に並んでいる。また、複数の第二内側切込線４１１，４１１…のそれぞれは、第一フィルム２の第一面から第一フィルム２の第二面に亘って貫通する切込によって形成されている。また、複数の第二内側切込線４１１，４１１…のそれぞれは、第二仮想線Ｌ２に近づくにつれて、第一フィルム２の第一端側から第一フィルム２の第二端側に向けて延びるように形成されている。そして、複数の第二内側切込線４１１，４１１…のそれぞれは、第二仮想線Ｌ２に近づく方向に凸となるように湾曲している。
【００４１】
第一拡張線４２は、最も第一フィルム２の第二端側に位置する第一内側切込線４０１の近傍から延びる直線状になっている。より具体的に説明すると、第一拡張線４２は、第一フィルム２の第一面から第二面に亘って貫通するように形成されている。第一拡張線４２は、長手方向に第一端と該第一端とは反対側の第二端とを有する。第一拡張線４２の第一端は、複数の第一内側切込線４０１，４０１…のうちの、最も第一フィルム２の第二端側に位置するものと第一方向で隣り合う場所に位置している。そして、第一拡張線４２は、第一フィルム２の第一端から第一フィルム２の第二端に近づくにつれて、第一フィルム２の第三端側に変位するように延びている。
【００４２】
第二拡張線４３は、最も第一フィルム２の第二端側に位置する第二内側切込線４１１の近傍から延びる直線状になっている。より具体的に説明すると、第二拡張線４３は、第一フィルム２の第一面から第二面に亘って貫通するように形成されている。第二拡張線４３は、長手方向に第一端と該第一端とは反対側の第二端とを有する。第二拡張線４３の第一端は、複数の第二内側切込線４１１，４１１…のうちの、最も第一フィルム２の第二端側に位置するものと第一方向で隣り合う場所に位置している。そして、第二拡張線４３は、第一フィルム２の第一端から第一フィルム２の第二端に近づくにつれて、第一フィルム２の第四端側に変位するように延びている。
【００４３】
開封起点部５は、第一方向で最も第一フィルム２の第一端側に位置する短小引裂補助線４と隣り合うように設けられている。開封起点部５は、開封用切込線５０の内側の部分である開封用引張片５１をさらに有する。
【００４４】
開封用切込線５０は、第一フィルム２の第一端側に凸となるように湾曲している。開封用切込線５０は、周方向に第一端部と、該第一端部とは反対側の第二端とを有する。開封用切込線５０の第一端部は、第一補助線群４０（最も第一フィルム２の第一端側に位置する第一内側切込線４０１）に向けて延びている。そして、開封用切込線５０の第二端部は、第二補助線群４１（最も第一フィルム２の第一端側に位置する第二内側切込線４１１）に向けて延びている。
【００４５】
本実施形態に係るフィルム１は、以上の通りである。続いて、本実施形態に係るフィルム１の引き裂き方について、添付図面を参照しつつ説明を行う。なお、図４及び図５は、フィルム１を第二フィルム３の第二面側から見たときの図である。
【００４６】
図４に示すように、フィルム１では、開封用引張片５１がフィルム１の略面直交方向で引っ張られると、開封用切込線５０の第一端部と、開封用切込線５０の第二端部とからフィルム１に対して裂け目が生じる。
【００４７】
開封用切込線５０の第一端部から生じた裂け目が第一内側切込線４０１に到達すると、図４に示すように、当該裂け目は、第一内側切込線４０１によって、第一仮想線Ｌ１に向かう方向に案内される。開封用切込線５０の第二端部から生じた裂け目が第二内側切込線４１１に到達すると、当該裂け目は、第二内側切込線４１１によって、第二仮想線Ｌ２に向かう方向に案内される。
【００４８】
そして、開封用切込線５０の第一端部から生じた裂け目が第一外側切込線４００に到達すると、当該裂け目は、第一外側切込線４００によって、第一仮想線Ｌ１に向かう方向に案内される。さらに、開封用切込線５０の第二端部から生じた裂け目が第二外側切込線４１０に到達すると、当該裂け目は、第二外側切込線４１０によって、第二仮想線Ｌ２に向かう方向に案内される。
【００４９】
また、開封用切込線５０の第一端部から生じた裂け目が第一拡張線４２に到達すると、図５に示すように、当該裂け目は、第一フィルム２の第三端に向けて案内される。そして、開封用切込線５０の第二端部から生じた裂け目が第二拡張線４３に到達すると、当該裂け目は、第一フィルム２の第四端に向けて案内される。
【００５０】
このように、第一補助線群４０及び第二補助線群４１が形成されている領域においては、開封用切込線５０の第一端から生じた裂け目、及び開封用切込線５０の第二端から生じた裂け目のそれぞれが第一方向に案内される。そして、第一拡張線４２及び第二拡張線４３が形成されている領域においては、開封用切込線５０の第一端から生じた裂け目と開封用切込線５０の第二端から生じた裂け目とのそれぞれは、第二方向で互いに離間するように案内される。
【００５１】
以上のように、フィルム１によれば、第一フィルム２と第二フィルム３とが張り合わされることで短小切込線４ａ，４ａ…と第二フィルム３における短小切込線４ａ，４ａ…に対応する部分とによって、短小引裂補助線４，４…が形成される。そのため、フィルム１では、短小引裂補助線４，４…の深さが不均一になることを防止できる。従って、フィルム１では、より確実に仮想線Ｌ（第一仮想線Ｌ１、第二仮想線Ｌ２）に沿って第一フィルム２及び第二フィルム３を引き裂くことができる。
【００５２】
また、フィルム１には、仮想線Ｌ（第一仮想線Ｌ１及び第二仮想線Ｌ２）に沿って並ぶ複数の短小切込線４ａ，４ａ…が形成されている。すなわち、フィルム１には、複数の短小引裂補助線４，４…が仮想線Ｌに沿って並ぶように形成されている。
【００５３】
そのため、フィルム１は、張力が作用したときに、第一フィルム２の短小切込線４ａ，４ａ…によって分断された部分同士が離間して開口が形成されたり、逆に第一フィルム２の短小切込線４ａ，４ａ…によって分断された部分同士が重なり合ったりすることを防止できる。これにより、フィルム１では、第一フィルム２における短小切込線４ａ，４ａ…の近傍の部分をより確実に第二フィルム３に張り合わせることができる。
【００５４】
従って、フィルム１は、引裂補助線４，４…が適切に形成されず、フィルム１を仮想線Ｌに沿って引き裂くことができなくなることを防止できる。また、フィルム１は、第二フィルム３の接着層３０（接着材料が塗布されている部分）が露呈することで、製造設備に接着材料が付着することを防止できる。
【００５５】
また、フィルム１によれば、印刷層２０を外部から目視できる状態のフィルム１を引き裂く場合、第二フィルム３は、第一フィルム２側から引き裂かれることになる。そのため、第二フィルム３における短小引裂補助線４，４…に対応する部分をより確実に引き裂くことができる。
【００５６】
続いて、本実施形態に係るフィルム１の製造方法について添付図面を参照しつつ説明を行うこととする。
【００５７】
本実施形態に係るフィルム１の製造方法では、第一フィルム２にピッチマーク（図示しない）を印刷し、ピッチマークを基準に第一フィルム２に短小切込線４ａ，４ａ…を形成し、第一フィルム２と第二フィルム３とを貼り合わせている。なお、ピッチマークとは、第一フィルム２に所定の間隔毎に印刷されているものであり、当該ピッチマークを検出することで短小切込線４ａ，４ａ…を形成する位置を決定できるようになっている。
【００５８】
より具体的に説明すると、図６に示すように、フィルム１の製造方法では、ピッチマークを印刷するとともに、印刷層２０を形成した第一フィルム２を第一繰出装置６０に巻き直す。そして、切込線形成装置６１で第一繰出装置６０から第一フィルム２を繰り出しつつ、ピッチマークを基準に第一フィルム２に貫通する複数の短小切込線４ａ，４ａ…を形成する。
【００５９】
その一方で、第二繰出装置６２に巻き付けられた第二フィルム３を繰り出しつつ、当該第二フィルム３に印刷層３０を形成する。より具体的に説明すると、第二繰出装置６２から第二フィルム３を繰り出しつつ、塗布装置６３で当該第二フィルム３に接着材料を塗布した後に、乾燥装置６４で当該第二フィルム３に塗布した接着材料を乾燥させる（流動性がなくなる程度に乾燥させる）。
【００６０】
そして、第一フィルム２の第一面と第二フィルム３の第一面とを重ね合わせる。そして、第一フィルム２と第二フィルム３とを一対の圧着ローラ６５、６５同士の間に通過させる。すなわち、第一フィルム２と第二フィルム３とを一対の圧着ローラ６５，６５で圧着しつつ（第一フィルム２と第二フィルム３とを張り合わせつつ）、互いに張り合わされた第一フィルム２と第二フィルム３とを送り出す。
【００６１】
このようにして、第一フィルム２と第二フィルム３とを張り合わせて、複数の短小切込線４ａ，４ａ…（第一外側切込線４００，４００…、第一内側切込線４０１，４０１…、第二外側切込線４１０，４１０…、第二外側切込線４１０，４１０…、第一拡張線４２、第二拡張線４３）に基づく複数の短小引裂補助線４，４…からなる引裂補助線を形成する。
【００６２】
以上のように、フィルム１の製造方法では、ピッチマークを印刷した第一フィルム２に対して短小切込線４ａ，４ａ…を形成するため、第一フィルム２に短小切込線４ａ，４ａ…を形成する位置がピッチマークに基づいて決定される。これにより、フィルム１の製造方法では、第一フィルム２の適正な位置に短小引裂補助線４，４…を形成することができる。
【００６３】
また、フィルム１の製造方法では、第一フィルム２と第二フィルム３とを張り合わせて短小引裂補助線４を形成している。そのため、短小引裂補助線４は、短小切込線４ａと、第二フィルム３における短小切込線４ａに対応する部分とによって形成される。従って、フィルム１の製造方法によれば、短小引裂補助線４，４…の深さが不均一になることを防止できる。
【００６４】
そして、フィルム１の製造方法では、第一フィルム２に対して複数の短小切込線４ａ，４ａ…を形成しているため、第一フィルム２に張力が作用したときに、第一フィルム２の短小切込線４ａ，４ａ…によって分断された部分同士が離間して開口が形成されたり、逆に第一フィルム２の短小切込線４ａ，４ａ…によって分断された部分同士が重なり合ったりすることを防止できる。従って、フィルム１の製造方法では、第一フィルム２における短小切込線４ａ，４ａ…の近傍の部分をより確実に第二フィルム３に張り合わせることができる。
【００６５】
従って、フィルム１の製造方法では、引裂補助線４，４…が適切に形成されず、フィルム１を仮想線Ｌに沿って引き裂くことができなくなることを防止できる。また、フィルム１は、第二フィルム３の接着層３０（接着材料が塗布されている部分）が露呈することで、製造設備に接着材料が付着することを防止できる。
【００６６】
続いて、本実施形態に係る包装用フィルムについて、添付図面を参照しつつ説明を行う。なお、本実施形態に係る包装用フィルムは、後述する外装フィルムとして、上記フィルム１を採用している。そのため、本実施形態に係る包装用フィルムの説明において、上記フィルム１と同一又は対応する構成については、上記フィルム１と同一の符号を付して説明を行う。また、本実施形態に係る包装用フィルムでは、正面視形状が略三角形状の米飯加工食品（いわゆる、三角おにぎり）及びを包装する対象としている。
【００６７】
図７、及び図８に示すように、包装用フィルム７は、一対の仮想線Ｌ１，Ｌ２のそれぞれに沿って並ぶ複数の短小引裂補助線４，４…からなる引裂補助線と、該短小引裂補助線４，４…に向けて延びる開封用切込線５０を有する開封起点部５とを備え、複数の短小引裂補助線４，４…のそれぞれは、引裂方向を仮想線に案内するように設けられる。そして、包装用フィルム７において、一方の仮想線と、他方の仮想線とは、開封起点部から離れるにつれて互いに離間するように設定される。
【００６８】
より具体的に説明すると、包装用フィルム７は、外装フィルム１と、該外装フィルム１上に重ね合わされる内装フィルム８とを備え、外装フィルム１と内装フィルム８との間にシート状の食品Ｆ１を収容するための収容空間８２を有する。
【００６９】
内装フィルム８は、外装フィルム１の第一面上にシート状の食品Ｆ１を介して重ね合わされている。また、内装フィルム８は、一対の内側フィルム８０，８１を備えている。
【００７０】
一方の内側フィルム（以下、第一内側フィルムとする）８０は、平面紙において略四角形状に形成されている。第一内側フィルム８０は、第二方向での一方側の周縁部が第一フィルム２に接着されている。すなわち、第一内側フィルム８０の第二方向での一方側の周縁部には、第一貼着層８００が形成されている。第一内側フィルム８０の第二方向における他方側は、折り返されている。
【００７１】
他方の内側フィルム（以下、第二内側フィルムとする）８１は、平面紙において略四角形状に形成されている。第二内側フィルム８１は、第二方向での他方側の周縁部が第一フィルム２に接着されている。すなわち、第二内側フィルム８１の第二方向での他方側の周縁部には、第二貼着層８１０が形成されている。第二内側フィルム８１の第二方向における他方側は、折り返されている。
【００７２】
図９に示すように、米飯加工食品Ｆを包装した状態の包装用フィルム７は、外装フィルム１の第二面（第二フィルム３の第二面）が外側となる。また、米飯加工食品Ｆを包装した状態の包装用フィルム７には、一対の摘み片７０，７０が形成される。
【００７３】
本実施形態に係る包装用フィルム７は、以上の通りである。続いて、包装物を包装した包装用フィルム７の引き裂き方について添付図面を参照しつつ説明を行う。
【００７４】
図１０に示すように、包装用フィルム７では、外装フィルム１の開封用引張片５１が引っ張られると、開封用切込線５０の第一端部と、開封用切込線５０の第二端部とから裂け目が生じる。
【００７５】
開封用切込線５０の第一端部から生じた裂け目が第一内側切込線４０１に到達すると、当該裂け目は、第一内側切込線４０１によって、第一仮想線Ｌ１に向かう方向に案内される。開封用切込線５０の第二端部から生じた裂け目が第二内側切込線４１１に到達すると、当該裂け目は、第二内側切込線４１１によって、第二仮想線Ｌ２に向かう方向に案内される。
【００７６】
そして、開封用切込線５０の第一端部から生じた裂け目が第一外側切込線４００に到達すると、当該裂け目は、第一外側切込線４００によって、第一仮想線Ｌ１に向かう方向に案内される。さらに、開封用切込線５０の第二端部から生じた裂け目が第二外側切込線４１０に到達すると、当該裂け目は、第二外側切込線４１０によって、第二仮想線Ｌ２に向かう方向に案内される。
【００７７】
また、開封用切込線５０の第一端部から生じた裂け目が第一拡張線４２に到達すると、当該裂け目は、第一フィルムの第三端に向けて案内される。そして、開封用切込線５０の第二端部から生じた裂け目が第二拡張線４３に到達すると、図１１に示すように、当該裂け目は、第一フィルム２の第四端に向けて案内される。
【００７８】
このように、第一補助線群４０及び第二補助線群４１が形成されている領域においては、開封用切込線５０の第一端から生じた裂け目、及び開封用切込線５０の第二端から生じた裂け目のそれぞれが第一方向に案内される。そして、第一拡張線４２及び第二拡張線４３が形成されている領域においては、開封用切込線５０の第一端から生じた裂け目と開封用切込線５０の第二端から生じた裂け目とのそれぞれは、第二方向で互いに離間するように案内される。
【００７９】
さらに、包装用フィルム７では、一対の摘み片７０，７０のそれぞれを互いに離間する方向に引っ張ると、外装フィルム１が米飯加工食品Ｆから引き離される。このとき、内装フィルム８は、外装フィルム１とともに米飯加工食品Ｆから引き離される。
【００８０】
以上のように、包装用フィルム７によれば、一対の仮想線Ｌ１，Ｌ２のそれぞれに沿って並ぶ複数の短小引裂補助線４，４…を備えている。そのため、包装用フィルム７では、面直交方向に変位する部分を従来の包装用フィルム７よりも小さくすることができる。そのため、包装用フィルム７では、より適切に複数の短小引裂補助線４，４…のそれぞれの近傍の部分がめくれることを防止できる。
【００８１】
そして、包装用フィルム７によれば、最も第一フィルム２の第二端側に位置する第一内側切込線４０１の近傍の位置から延びる直線状の第一拡張線４２と、最も第一フィルム２の第二端側に位置する第二内側切込線４１１の近傍の位置から延びる直線状の第二拡張線４３とを有する。そのため、包装用フィルム７では、開封起点部５から離れるにつれて、該包装用フィルム７から分断させる部分を拡大させることができる。従って、包装用フィルム７では、一対の摘み片７０，７０のそれぞれを互いに離間させる方向に引っ張ったときに、米飯加工食品Ｆの変形を防止しつつ、外装フィルム１及び内装フィルム８を米飯加工食品Ｆから引き離すことができる。
【００８２】
尚、本発明に係るフィルム、及びフィルムの製造方法、並びに包装用フィルムのそれぞれは、上記実施形態に限定されるものではなく、本発明の要旨を逸脱しない範囲内において種々変更を加え得ることは勿論である。
【００８３】
上記実施形態において、フィルム１（包装用フィルム７の外装フィルム１）は、第一フィルム２に第二フィルム３を貼り合わせていたが、これに限定されるものではなく、例えば、第一フィルム２と第二フィルム３との間に別のフィルムが介在するようになっていてもよい。但し、このようにする場合、第一フィルム２を第一フィルム２と第二フィルム３とが積層される方向における一端又は他端に配置する必要がある。
【００８４】
また、上記実施形態において、印刷層２０は、第一フィルム２の第一面に印刷層２０が形成されていたが、これに限定されるものではなく、例えば、第二フィルム３の第二面に印刷層２０を形成してもよい。
【００８５】
また、上記実施形態において、第一補助線群４０は、第一仮想線Ｌ１を境とした一方側と他方側とに形成されていたが、これに限定されるものではなく、例えば、図１２（ａ）に示すように、第一補助線群４０は、第一仮想線Ｌ１を境とする他方側のみに形成してもよい。すなわち、第一補助線群４０は、第一内側切込線４０１，４０１…のみで構成してもよい。
【００８６】
また、上記実施形態において、複数の第一外側切込線４００，４００…のそれぞれと、複数の第一内側切込線４０１，４０１…のそれぞれとは、第一仮想線Ｌ１に沿って順に並んでいたが、これに限定されるものではなく、例えば、図１２（ｂ）に示すように、第一方向において、第一外側切込線４００と第一内側切込線４０１とが交互に並ぶように形成されていてもよい。
【００８７】
また、上記実施形態において、第二補助線群４１は、第二仮想線Ｌ２を境とした一方側と他方側とに形成されていたが、これに限定されるものではなく、例えば、図１２（ａ）に示すように、第二補助線群４１は、第二仮想線Ｌ２を境とする他方側のみに形成してもよい。すなわち、第二補助線群４１は、第二内側切込線４１１，４１１…のみで構成してもよい。
【００８８】
また、上記実施形態において、複数の第二外側切込線４１０，４１０…のそれぞれと、複数の第二内側切込線４１１，４１１…のそれぞれとは、第二仮想線Ｌ２に沿って順に並んでいたが、これに限定されるものではなく、例えば、図１２（ｂ）に示すように、第一方向において、第二外側切込線４１０と第二内側切込線４１１とが交互に並ぶように形成されていてもよい。
【００８９】
また、上記実施形態において、短小引裂補助線４は、第一拡張線４２と第二拡張線４３とを有していたが、これに限定されるものではなく、例えば、図１３に示すように、短小引裂補助線４は、第一補助線群４０、及び第二補助線群４１のみで構成してもよい。このようにする場合、第一補助線群４０は、第一仮想線Ｌ１の基端から先端に亘って形成される。そして、第二補助線群４１は、第二仮想線Ｌ２の基端から先端に亘って形成される。
【００９０】
さらに、図１４（ａ）に示すように、短小引裂補助線４を第一補助線群４０、及び第二補助線群４１のみで構成する場合においても、第一補助線群４０を複数の第一内側切込線４０１，４０１…のみで構成したり、第二補助線群４１を複数の第二内側切込線４１１，４１１…のみで構成したりすることができる。
【００９１】
また、図１４（ｂ）に示すように、第一方向において、第一外側切込線４００と第一内側切込線４０１とが交互に並ぶようにしたり、第一方向において、第二外側切込線４１０と第二内側切込線４１１とが交互に並ぶように形成したりすることもできる。
【００９２】
また、上記実施形態において、仮想線Ｌは、第一仮想線Ｌ１と第二仮想線Ｌ２とが設定されていたが、これに限定されるものではなく、例えば、一本の仮想線のみを設定するようにしてもよい。このようにする場合においても、仮想線の一方側又は他方側のみに、仮想線に沿って並ぶ切込線を形成したり、切込線を第一方向において、仮想線の一方側と他方側とに交互に並ぶように形成したりすることもできる。
【００９３】
また、上記実施形態において、開封起点部５は、開封用切込線５０と、開封用引張片５１とを備えていたが、これに限定されるものではなく、例えば、フィルム１の第一端における短小引裂補助線４の近傍の部分対して切欠を形成したり、フィルム１の第一端から短小引裂補助線４に向けて延びる切込線を形成したりすることで、開封起点部５を構成することもできる。
【００９４】
また、上記実施形態において、第一フィルム２にピッチマーク（図示しない）を印刷した後に、当該ピッチマークを基準に第一フィルム２に短小切込線４ａ，４ａ…を形成していたが、これに限定されるものではなく、例えば、短小切込線４ａ，４ａ…を連続的に形成する場合、第一フィルム２にピッチマークを形成しなくてもよい。
【００９５】
また、上記実施形態において、印刷層２０は、第一フィルム２の第一面に形成されていたが、これに限定されるものではなく、例えば、印刷層２０は、第二フィルム３の第一面又は第二フィルム３の第二面に形成してもよい。
【００９６】
また、上記実施形態において、接着層３０は、第二フィルム３の第一面に形成されていたが、これに限定されるものではなく、例えば、接着層３０は、第二フィルム２の第一面に形成してもよい。さらに、上述のように、印刷層２０を第二フィルム３の第一面に形成する場合、接着層３０を印刷層２０上に積層させることもできる。
【００９７】
また、上記実施形態において、フィルム１を製造するにあたり、ピッチマークを印刷するとともに、印刷層２０を形成した第一フィルム２を第一繰出装置６０に巻き直していたが、これに限定されるものではなく、例えば、ピッチマークを印刷した第一フィルム２を第一繰出装置６０に巻き直してもよい。このようにする場合、第一繰出装置６０から繰り出した第一フィルム２に対して印刷層２０を形成するようにすればよい。
【００９８】
また、上記実施形態において、フィルム１を製造するにあたり、ピッチマークを印刷するとともに、印刷層２０を形成した第一フィルム２を第一繰出装置６０に巻き直していたが、これに限定されるものではなく、例えば、ピッチマークが印刷されておらず、印刷層２０も形成されていない第一フィルム２を第一繰出装置６０から繰り出すようにしてもよい。このようにする場合、第一繰出装置６０から繰り出した第一フィルム２に対してピッチマークを印刷し、印刷層２０を形成するようにすればよい。
【００９９】
また、上記実施形態において、フィルム（外装フィルム）１は、第一フィルム２と第二フィルム３とを備えていたが、これに限定されるものではなく、単一のフィルムで構成されていてもよい。
【０１００】
また、上記実施形態において、フィルム１（外装フィルム１）は、第一フィルム２と、印刷層２０と、第二フィルム３と、接着層３０とからなる４層構造となっていたが、これに限定されるものではなく、例えば、図１５及び図１６に示すように、第一フィルム２と、第二フィルム３とからなる２層構造となるようにしてもよい。このようにする場合、第一フィルム２及び第二フィルム３には、透明なフィルムや、不透明なフィルムや、透光性を有するフィルム等の種々の材質のフィルムを採用することができる。
【０１０１】
また、図１２〜図１４の態様のフィルム１についても同様に、第一フィルム２と、第二フィルム３とからなる２層構造となるようにすることができる。そして、図１２〜図１４の態様のフィルム１を２層構造となるようにする場合においても、第一フィルム２及び第二フィルム３には、透明なフィルムや、不透明なフィルムや、透光性を有するフィルム等の種々の材質のフィルムを採用することができる。
【０１０２】
尚、フィルム１を２層構造とする場合、第一フィルム２と第二フィルム３とは、例えば、熱溶着によって貼り合わせればよい。
【０１０３】
また、上記実施形態において、特に言及しながったが、第一フィルム２と第二フィルム３とのそれぞれが同一の厚みとなるようにしたり、第一フィルム２と第二フィルム３とのそれぞれが異なる厚みとなるようにしたりすることができる。また、図１２〜図１４の態様のフィルム１についても同様に、第一フィルム２と第二フィルム３とのそれぞれが同一の厚みとなるようにしたり、第一フィルム２と第二フィルム３とのそれぞれが異なる厚みとなるようにしたりすることができる。
【０１０４】
また、上記実施形態において、特に言及しなかったが、フィルム１（外装フィルム１）は、図１７に示すように、裂け目の進行を妨げる裂止用切込線９が形成されていてもよい。裂止用切込線９は、第一フィルム２及び第二フィルム３の少なくとも何れか一方に貫通する切り込み線によって形成することができる。すなわち、裂止用切込線９は、第一フィルム２又は第二フィルム３のみに貫通する切り込み線を設けたり、第一フィルム２と第二フィルム３とに亘って貫通する切り込み線を設けたりすることで形成することができる。
【０１０５】
また、第一フィルム２と第二フィルム３との間に別のフィルムを介在させる場合、裂止用切込線９は、第一フィルム２及び第二フィルム３及び別のフィルムの少なくとも何れか一つのフィルムに貫通する切り込み線によって形成することができる。
【０１０６】
なお、図１２〜図１４の態様のフィルム１においても、裂止用切込線９を形成することができることは勿論である。
【０１０７】
また、上記実施形態において、第一仮想線Ｌ１と第二仮想線Ｌ２との間隔は、フィルム１の第一端側からフィルム１の第二端側になるにつれて広がるようになっていたが、これに限定されるものではなく、例えば、第一仮想線Ｌ１と第二仮想線Ｌ２との間隔は、フィルム１の第一端側からフィルム１の第二端側になるにつれて狭まるようにしてもよい。
【０１０８】
また、上記実施形態において、フィルム１（外装フィルム１）は、第一端側から引き裂かれるようになっていたが、これに限定されるものではなく、例えば、第二端側から引き裂かれるようになっていてもよい。
【０１０９】
また、上記実施形態において、包装用フィルム７は、正面視形状が略三角形状の米飯加工食品Ｆを包装する対象としていたが、これに限定されるものではなく、例えば、正面視形状が略四角形状の米飯加工食品Ｆや、その他の食品、さらには、食品以外のものも包装の対象とすることができる。
【符号の説明】
【０１１０】
１…フィルム（外装フィルム）、２…第一フィルム、３…第二フィルム、４…短小引裂補助線、４ａ…短小切込線、５…開封起点部、７…包装用フィルム、８…内装フィルム、９…裂止用切込線、２０…印刷層、３０…接着層、４０…第一補助線群、４１…第二補助線群、４２…第一拡張線、４３…第二拡張線、５０…開封用切込線、５１…開封用引張片、６０…第一繰出装置、６１…切込線形成装置、６２…第二繰出装置、６３…塗布装置、６４…乾燥装置、６５…圧着ローラ、７０…摘み片、８０…第一内側フィルム、８１…第二内側フィルム、８２…収容空間、４００…第一外側切込線、４０１…第一内側切込線、４１０…第二外側切込線、４１１…第二内側切込線、８００…第一貼着層、８１０…第二貼着層、Ｆ…米飯加工食品、Ｆ１…食品、Ｌ…仮想線、Ｌ１…第一仮想線、Ｌ２…第二仮想線
【図１】
2014008968.tif 000003
【図２】
2014008968.tif 000004
【図３】
2014008968.tif 000005
【図４】
2014008968.tif 000006
【図５】
2014008968.tif 000007
【図６】
2014008968.tif 000008
【図７】
2014008968.tif 000009
【図８】
2014008968.tif 000010
【図９】
2014008968.tif 000011
【図１０】
2014008968.tif 000012
【図１１】
2014008968.tif 000013
【図１２】
2014008968.tif 000014
【図１３】
2014008968.tif 000015
【図１４】
2014008968.tif 000016
【図１５】
2014008968.tif 000017
【図１６】
2014008968.tif 000018
【図１７】
2014008968.tif 000019